(57)【要約】【課題】  操作部材の復帰を確実に行なうことができ、所望のクリック感触を得ることが可能な押釦スイッチを提供する。【解決手段】  押圧部６ｄのスライド方向への押圧操作に伴い、作動部６ｃを介して反転ばね４を操作部材６のスライド方向と交差する方向へ押圧させ、この押圧による反転ばね４の反転動作によってクリック感触の生成とスイッチ信号の切換えとを行なう押釦スイッチであって、操作部材６の押圧操作時に、操作部材６が反転ばね４をスイッチ切換え位置へ反転させるまでスライド移動した後に当接して、それ以降、スライド移動した操作部材６への復帰力を付与する復帰ばね部７ｃを設けた。【選択図】        図６
2005209565.tif 000002
【特許請求の範囲】
【請求項１】
収納部を有する筐体と、前記収納部内に配設された反転ばねと、前記筐体の側部より突出する押圧部と作動部とを有し前記収納部内をスライド移動する操作部材とを備え、前記押圧部のスライド方向への押圧操作に伴い、前記作動部を介して前記反転ばねを前記操作部材のスライド方向と交差する方向へ押圧させ、この押圧による前記反転ばねの反転動作によってクリック感触の生成とスイッチ信号の切換えとを行なう押釦スイッチであって、前記操作部材の押圧操作時に、前記操作部材が前記反転ばねをスイッチ切換え位置へ反転させるまでスライド移動した後に当接して、それ以降、スライド移動した操作部材への復帰力を付与する復帰ばね部を設けたことを特徴とする押釦スイッチ。
【請求項２】
前記復帰ばね部を、前記操作部材あるいは前記筐体のどちらか一方に形成し、前記操作部材が前記反転ばねをスイッチ切換え位置へ反転させるまでスライド移動した際には、前記操作部材と前記筐体とが前記復帰ばね部を介して当接可能なように配置したことを特徴とする請求項１記載の押釦スイッチ。
【請求項３】
前記操作部材と前記筐体との間に、前記操作部材がスライド方向へ移動する際に互いに当接するストッパー部を設け、前記操作部材と前記筐体とが前記復帰ばね部を介して当接してから前記ストッパー部と当接するまでの間、前記復帰ばね部により前記操作部材へ復帰力を付与するようにしたことを特徴とする請求項１、又は２記載の押釦スイッチ。
【請求項４】
前記筐体は、収納部を有する合成樹脂材製のハウジングと、このハウジングの上面に取付けられた金属板製の蓋体とからなり、前記復帰ばね部を、前記蓋体に形成したことを特徴とする請求項１乃至３の何れかに記載の押釦スイッチ。
【請求項５】
前記反転ばねの裏面に接点部を設けて可動接点を形成し、前記ハウジングの収納部の内底面に固定接点を設け、この固定接点上に前記反転ばねを反復反転可能に配設し、前記操作部材の押圧操作時に、前記作動部を介して前記反転ばねが反転して前記接点部が前記固定接点と接触してスイッチ信号の切換えが行なわれると共に、それ以降、前記操作部材がスライド移動した際に、前記復帰ばね部により前記操作部材へ復帰力を付与するようにしたことを特徴とする請求項１乃至４の何れかに記載の押釦スイッチ。
【請求項６】
前記操作部材に可撓性を有する作動部を形成し、前記蓋体には前記ハウジングの収納部内に切り起こされた傾斜片を形成し、前記操作部材の押圧操作時に、前記押圧部の押圧に伴って前記作動部が前記傾斜片上を摺動して下方へ撓むことで前記作動部が前記反転ばねを押圧するようにしたことを特徴とする請求項４、又は５記載の押釦スイッチ。
【請求項７】
前記操作部材の作動部に傾斜面を形成し、前記ハウジングの収納部には揺動可能な駆動変換部材を設け、前記操作部材の押圧操作時に、前記押圧部の押圧に伴って前記作動部の傾斜面が前記駆動変換部材と摺動し、前記駆動変換部材が下方へ撓むことで前記反転ばねを押圧するようにしたことを特徴とする請求項４、又は５記載の押釦スイッチ。
【発明の詳細な説明】
【技術分野】
【０００１】
本発明は、各種電子機器の操作用スイッチとして使用される押釦スイッチに係り、特に、薄型の横押しタイプの押釦スイッチに関する。
【背景技術】
【０００２】
従来の押し釦スイッチの構造としては、蓋体からハウジング内部へ切り起こされて、可動接点と対向する傾斜片を備え、この傾斜片と可動接点の間に介設されて、弾性を有する作動部を有する操作部材が、押圧部の押圧により作動部が傾斜片上を摺動して可動接点を押圧して接点の切り換えを行なう押釦スイッチが知られている（例えば、特許文献１参照）。
【０００３】
以下、従来の押釦スイッチの構造を図に基づいて説明する。
図１４は従来の押釦スイッチの分解斜視図、図１５は従来の押釦スイッチの断面図である。
【０００４】
従来の押し釦スイッチは、開口１０を有するハウジング１１と、該開口１０の内底部に設けられた固定接点１２、１３と、該固定接点１２、１３上に配置された可動接点１４と、この可動接点１４上に設けられ、ポリイミド等からなる防塵用シート１５と、該シート１５を介して可動接点１４を作動させる操作部材１６と、前記ハウジング１０の上部に取付けられ、前記開口を覆う蓋体１７とから構成されている。
【０００５】
固定接点１２、１３は、インサート成形によりハウジング１１と一体的に形成され、該固定接点１２、１３からそれぞれ導出された外部端子１２ａ、１３ａがハウジング１１の外壁に設けられている。
ハウジング１１は、四隅よりそれぞれ上方へ突出する４個の突起２０と、これらの突起２０の近傍にそれぞれ設けられ、操作部材１６を案内する案内部２１と、一方の側端より上方へ突出する壁部２２と、他方の側端より外方へ突出するブロック部２３と、該他方の側端の突起２０よりそれぞれ外方へ突出し、蓋体１７を係止する係止部２４、２５とを備えている。
【０００６】
可動接点１４は、弾性を有する薄肉金属板からなり、ハウジング１１の開口１０内に配置される。この可動接点１４は、操作部材１６の移動方向と平行な２本の切欠き２６を有し、周辺部２７が固定接点１２と常時接触するとともに、中央部２８が上方へ湾曲した状態で他の固定接点１３上に位置する。
防塵用シート１５は、周囲がハウジング１１の上面１１ａに載置され、このシート１５上に操作部材１６が載置される。
【０００７】
蓋体１７は、四隅に設けられ、前記突起２０とそれぞれ係合する切り欠き３０と、側端より下方に突出し、ハウジング１１の上面１１ａおよび案内部２１の上端に当接する壁部３１と、他の側端から下方へ突出し、前記係止部２４、２５にそれぞれ係合する一対の腕部３２を備えている。また、該蓋体１７は、中央部よりハウジング１１内側に切り起こされ、可動接点１４の中央部２８と対向する傾斜片３３を備える。
【０００８】
操作部材１６は、傾斜片３３および可動接点１４の中央部２８間に介設された作動部３４と、この作動部３４の側方に設けられ、前記案内部２１上を摺動するコの字状のガイド部３５と、ハウジング１１の側部より外方へ突出する押圧部３６とからなる。前記作動部３４は、薄肉部３４ａを介して押圧部３６に連結され、弾性を有している。また、作動部３４およびガイド部３５によって形成される開口３９には、傾斜片３３が係合する。
【０００９】
上記押し釦スイッチは、操作部材１６の押圧部３６を図１５の左方向へブロック部２３に当接するまで押圧するとき、蓋体１７よりハウジング１１内側に切り起こされた傾斜片３３上を操作部材１６の作動部３４が摺動することにより案内され、これに伴い、該作動部３４が薄肉部３４ａで弾性変形しながら図１５の反時計方向へ回動するので、この作動部３４の先端がシート１５を介して可動接点１４の中央部２８を押圧する。これによって、該中央部２８は下方へ反転して固定接点１３と接触してスイッチ・オンの状態となる。
【００１０】
【特許文献１】実用新案登録第２５７２５９０号
【発明の開示】
【発明が解決しようとする課題】
【００１１】
しかしながら、上述した従来の押釦スイッチの構造においては、押圧した操作部材の復帰時には、弾性を有する薄板金属板からなる可動接点の反転力によって操作部材の作動部を蓋体の傾斜片との摩擦力に抗して押し戻す構造のため、操作部材の復帰力が不足する可能性があり、そのために可動接点自体の反転復帰力を大きく設定すると、所望のクリック感触を得ることができないという問題があった。
【００１２】
したがって、本発明では上述した問題点を解決し、操作部材の復帰を確実に行なうことができ、所望のクリック感触を得ることが可能な押釦スイッチを提供することを目的とする。
【課題を解決するための手段】
【００１３】
上記課題を解決するために本発明では第１の解決手段として、収納部を有する筐体と、前記収納部内に配設された反転ばねと、前記筐体の側部より突出する押圧部と作動部とを有し前記収納部内をスライド移動する操作部材とを備え、前記押圧部のスライド方向への押圧操作に伴い、前記作動部を介して前記反転ばねを前記操作部材のスライド方向と交差する方向へ押圧させ、この押圧による前記反転ばねの反転動作によってクリック感触の生成とスイッチ信号の切換えとを行なう押釦スイッチであって、前記操作部材の押圧操作時に、前記操作部材が前記反転ばねをスイッチ切換え位置へ反転させるまでスライド移動した後に当接して、それ以降、スライド移動した操作部材への復帰力を付与する復帰ばね部を設けた構成とした。
【００１４】
また、第２の解決手段として、前記復帰ばね部を、前記操作部材あるいは前記筐体のどちらか一方に形成し、前記操作部材が前記反転ばねをスイッチ切換え位置へ反転させるまでスライド移動した際には、前記操作部材と前記筐体とが前記復帰ばね部を介して当接可能なように配置した構成とした。
また、第３の解決手段として、前記操作部材と前記筐体との間に、前記操作部材がスライド方向へ移動する際に互いに当接するストッパー部を設け、前記操作部材と前記筐体とが前記復帰ばね部を介して当接してから前記ストッパー部と当接するまでの間、前記復帰ばね部により前記操作部材へ復帰力を付与するようにした構成とした。
【００１５】
また、第４の解決手段として、前記筐体は、収納部を有する合成樹脂材製のハウジングと、このハウジングの上面に取付けられた金属板製の蓋体とからなり、前記復帰ばね部を、前記蓋体に形成した構成とした。
また、第５の解決手段として、前記反転ばねの裏面に接点部を設けて可動接点を形成し、前記ハウジングの収納部の内底面に固定接点を設け、この固定接点上に前記反転ばねを反復反転可能に配設し、前記操作部材の押圧操作時に、前記作動部を介して前記反転ばねが反転して前記接点部が前記固定接点と接触してスイッチ信号の切換えが行なわれると共に、それ以降、前記操作部材がスライド移動した際に、前記復帰ばね部により前記操作部材へ復帰力を付与するようにした構成とした。
【００１６】
また、第６の解決手段として、前記操作部材に可撓性を有する作動部を形成し、前記蓋体には前記ハウジングの収納部内に切り起こされた傾斜片を形成し、前記操作部材の押圧操作時に、前記押圧部の押圧に伴って前記作動部が前記傾斜片上を摺動して下方へ撓むことで前記作動部が前記反転ばねを押圧するようにした構成とした。
また、第７の解決手段として、前記操作部材の作動部に傾斜面を形成し、前記ハウジングの収納部には揺動可能な駆動変換部材を設け、前記操作部材の押圧操作時に、前記押圧部の押圧に伴って前記作動部の傾斜面が前記駆動変換部材と摺動し、前記駆動変換部材が下方へ撓むことで前記反転ばねを押圧するようにした構成とした。
【発明の効果】
【００１７】
上述したように、本発明の押釦スイッチは、収納部を有する筐体と、収納部内に配設された反転ばねと、筐体の側部より突出する押圧部と作動部とを有し収納部内をスライド移動する操作部材とを備え、押圧部のスライド方向への押圧操作に伴い、作動部を介して反転ばねを操作部材のスライド方向と交差する方向へ押圧させ、この押圧による反転ばねの反転動作によってクリック感触の生成とスイッチ信号の切換えとを行なう押釦スイッチであって、操作部材の押圧操作時に、操作部材が反転ばねをスイッチ切換え位置へ反転させるまでスライド移動した後に当接して、それ以降、スライド移動した操作部材への復帰力を付与する復帰ばね部を設けたことから、押釦スイッチの復帰操作を、反転した反転ばねの自らの反転復帰する蓄力による操作部材への付勢力に加えて、復帰ばね部の復帰力とによって操作部材の復帰を行なうので、操作部材の復帰を確実に行うことができる。また、反転ばねのスイッチ切換え位置への反転動作途上では操作部材に復帰ばね部の付勢力は作用しないため、所望のクリック感触を得ることができる。
【００１８】
また、復帰ばね部を、操作部材あるいは筐体のどちらか一方に形成し、操作部材が反転ばねをスイッチ切換え位置へ反転させるまでスライド移動した際には、操作部材と筐体とが復帰ばね部を介して当接可能なように配置したことから、復帰ばね部を操作部材あるいは筐体のどちらか一方に設けることにより、構成が簡易となり、組立性が向上される。
また、操作部材と筐体との間に、操作部材がスライド方向へ移動する際に互いに当接するストッパー部を設け、操作部材と筐体とが復帰ばね部を介して当接してからストッパー部と当接するまでの間、復帰ばね部により操作部材へ復帰力を付与するようにしたことから、操作部材がストッパー部と当接する位置にスライド移動するまで復帰ばね部が連続して復帰力を付与するので、操作部材のスライド移動後の復帰を確実に行なうことができる。
【００１９】
また、筐体は、収納部を有する合成樹脂材製のハウジングと、このハウジングの上面に取付けられた金属板製の蓋体とからなり、復帰ばね部を、蓋体に形成したことから、復帰ばね部を金属板で形成したので、押釦スイッチの長寿命化が図れる。また、組立を簡単に行なうことができる。
また、反転ばねの裏面に接点部を設けて可動接点を形成し、ハウジングの収納部の内底面に固定接点を設け、この固定接点上に反転ばねを反復反転可能に配設し、操作部材の押圧操作時に、作動部を介して反転ばねが反転して接点部が固定接点と接触してスイッチ信号の切換えが行なわれると共に、それ以降、操作部材がスライド移動した際に、復帰ばね部により操作部材へ復帰力を付与するようにしたことから、操作部材がスイッチ信号の切換えが行なわれた後のスライド位置で、復帰ばね部が復帰力を付与するので、操作部材の復帰を確実に行なえ、所望のクリック感触を得ることができる。
【００２０】
また、操作部材に可撓性を有する作動部を形成し、蓋体にはハウジングの収納部内に切り起こされた傾斜片を形成し、操作部材の押圧操作時に、押圧部の押圧に伴って作動部が傾斜片上を摺動して下方へ撓むことで作動部が反転ばねを押圧するようにしたことから、操作部材のスライド操作時に反転ばねを下方へ押圧する作動部を操作部材に一体的に形成できるので、押釦スイッチの薄型化が図れる。
また、操作部材の作動部に傾斜面を形成し、ハウジングの収納部には揺動可能な駆動変換部材を設け、操作部材の押圧操作時に、押圧部の押圧に伴って作動部の傾斜面が駆動変換部材と摺動し、駆動変換部材が下方へ撓むことで反転ばねを押圧するようにしたことから、作動部と当接して揺動可能な駆動変換部材を設けることにより、操作部材のスライド方向と交差する方向に駆動変換部材を移動できるので、確実に反転ばねを下方へ押圧することができる。
【発明を実施するための最良の形態】
【００２１】
以下、本発明の押釦スイッチの一実施例を図１乃至図７に示す。図１は押釦スイッチの平面図、図２は押釦スイッチの背面図、図３はハウジングの平面図、図４は押釦スイッチの要部断面図、図５乃至図７は押釦スイッチの押圧時の動作説明図で、図５は操作部材が反転ばねをスイッチ切換え位置へ反転させるまでスライド移動した状態を示す説明図、図６は反転ばねが反転した後スライド移動した操作部材と復帰ばね部とが当接して復帰力が付与された状態を示す説明図、図７はスライド移動した操作部材と筐体とがストッパー部で当接した状態を示す説明図である。
【００２２】
図１乃至図４に示す、本発明の押釦スイツチは、収納部を有するハウジング１と、収納部の内底面に対向して設けられた固定接点２、３と、これら固定接点２、３上に配設された反転ばねからなる可動接点４と、この可動接点４上に設けられ、ポリイミド等からなる防塵シート５と、この防塵シート５を介して可動接点４を作動させる操作部材６と、前記ハウジング１の上面に取付けられ、前記収納部を覆う蓋体７とから構成されている。尚、ハウジング１と蓋体７とでスイッチの筐体を構成している。
【００２３】
ハウジング１は、合成樹脂などの絶縁材からなり、上面開口状の箱型に形成されており、収納部１ａを有している。また、ハウジング１の上面側の四隅には、突状の突起１ｂが形成されており、この突起１ｂに後述する蓋体７の四隅に形成された係合片部７ｂが係合されて位置決めされるものとなっている。また、ハウジング１の一側面には、切窓部１ｃが設けられており、この切窓部１ｃには後述する操作部材６の押圧部６ｄが突出されて押圧方向に移動可能に係合されるものとなっている。
【００２４】
また、前記ハウジング１の収納部１ａの内底面には、導電性の金属板からなる固定接点２、３がインサート成形などの方法により一部が表出された状態で一体的に対向して配設されている。また、この固定接点２、３からは、それぞれ導出された外部接続端子２ａ、３ａが、ハウジング１の側面から外方に突出して設けられている。この外部接続端子２ａ、３ａは、ハウジング１の底面と略平行に突出されて、面実装用の端子形状に形成されている。
【００２５】
可動接点４は、弾性を有する導電性の薄肉金属板製の反転ばねからなり、ハウジング１の収納部１ａの固定接点２、３上に配設され、その周辺部４ａが一方の固定接点２と常時接触するとともに、接点部となる中央部４ｂが上方へ湾曲した状態で他方の固定接点３上に対向した状態で配設されている。また、中央部４ｂは押圧された際には湾曲部が反転可能に形成されており、この反転時に固定接点３と接触するようになっている。
【００２６】
防塵シート５は、ポリイミドなどの絶縁性の樹脂シート等からなり、周囲がハウジング１の上面に載置され、収納部１ａを覆うように配設されている。また、この防塵シート５上に後述する操作部材６が載置され、防塵シート５を介して操作部材６の作動部６ａにより可動接点４の中央部４ｂが押圧されるものとなっている。
【００２７】
操作部材６は、合成樹脂などの絶縁材からなり、この操作部材６には、略方形状で中央に開口部６ａを有する基台部６ｂと、この開口部６ａに片持ち梁状に突出した可撓性の作動部６ｃと、前記ハウジング１の切窓部１ｃより外方へ突出する押圧部６ｄとが形成されている。前記作動部６ｃは、薄肉状のアーム部６ｅを介して押圧部６ｄに連結されており、このアーム部６ｅが撓むことにより作動部６ｃが下方向に弾性変位可能となっている。
【００２８】
また、操作部材６は、前記ハウジング１の上面に載置された防塵シート５の上面に載置され、ハウジング１の切窓部１ｃから突出した押圧部６ｄが押圧されることにより、ハウジング１の収納部１ａ内に横方向にスライド移動可能に配設されている。また、押圧部６ｄには、押圧された時にハウジング１及び後述する蓋体７のストッパー面と当接するストッパー部６ｆが形成されており、また、基台部６ｂ後方には、後述する蓋体７に設けられた復帰ばね部７ｃと当接するばね受け部６ｇが設けられている。
【００２９】
蓋体７は、導電性の金属板を打ち抜き、折り曲げることにより形成されており、平板状の上板部７ａを有し、この上板部７ａの四隅からは下方に折り曲げられて、前記ハウジング１の上面側の四隅に設けられた前記突起１ｂとそれぞれ係合する、Ｌ字状の係合片部７ｂが設けられている。また、前記ハウジング１の背面側に配設された一対の係合片部７ｂ、７ｂの間には、両持ち梁状にばね性を有した状態で一方に膨出する復帰ばね部７ｃが形成されており、この復帰ばね部７ｃに前記操作部材６のばね受け部６ｇが当接することにより、操作部材６の押圧操作時に復帰力が付与されるものとなっている。
このように、復帰ばね部７ｃを、金属板からなる蓋体７に一体に形成したので、押釦スイッチの長寿命化が図れると共に、組立を簡単に行なうことができるものとなる。
【００３０】
また、蓋体７の上板部７ａには、中央部よりハウジング１の収納部１ａ内側に切り起こされ、その先端側が前記操作部材６の基台部６ｂに設けられた開口部６ａに挿入されて、前記可動接点４の中央部４ｂと対向する傾斜片７ｄが形成されている。この傾斜片７ｄは、下方に折り曲げられて形成されており、この傾斜片７ｄの斜面に前記操作部材６の可撓性を有するアーム部６ｅの先端に設けられた作動部６ｃが摺動することにより、作動部６ｃが押し下げられて、可動接点４の中央部４ｂを下方へ押圧するようになっている。
【００３１】
尚、前記傾斜片７ｄを、前記蓋体７の上板部７ａを折り曲げることにより蓋体７に一体に形成するようにしたが、これに限らず、同様な傾斜面を有する合成樹脂などからなる成形材で部品を形成し、これを蓋体７の裏面側に一体的に係合することで作動部６ｃが摺動する傾斜面を形成するようにしても良い。また、この場合に、この成形部品に一体に前記復帰ばね部７ｃを設けるようにしても良く、この場合には、操作部材６と復帰ばね部７ｃとの当接位置、及び操作部材６の作動部６ｃと傾斜面との摺動位置関係を精度良く形成できるものとなる。
また、蓋体７に傾斜片７ｄを切り起こす際の開口部が形成されないので、防塵性を増すことができ、基板への装着時のエアー吸引を確実に行なえる。
【００３２】
上記構成の押釦スイッチを組み立てるには、まず、ハウジング１の収納部１ａ内に可動接点４を載置し、この可動接点４上を防塵シート５で覆い、この防塵シート５の周囲をハウジング１の上面に貼り付ける。次に、この防塵シート５上に操作部材６を配置した後、蓋体７をハウジング１上に載置する。この時、それぞれの四隅に形成された、係合片部７ｂと突起１ｂとをそれぞれ嵌合させて蓋体７をハウジング１に係止させることにより組立が完了する。
【００３３】
次に、図５乃至図７を用いて上記構成の押釦スイッチの動作を説明する。尚、各図の（ａ）は操作部材６と復帰ばね部７ｃとの関係を示す要部平面説明図、各図の（ｂ）は全体の要部断面説明図である。
まず、操作部材６が非押圧時の初期の状態においては、図４に示すように、操作部材６の作動部６ｃは、蓋体７の傾斜片７ｄの折り曲げ部の根元近傍に位置しており、下方へは弾性変位されないで可動接点４と固定接点３とは離間した状態となっている。
【００３４】
この状態から、操作部材６の押圧部６ｄを図５の右方向へ押圧すると、蓋体７よりハウジング１内側に切り起こされた傾斜片７ｄの斜面上を、操作部材６の作動部６ｃが摺動することにより案内され、これに伴い、作動部６ｃがアーム部６ｅで弾性変位しながら図５（ｂ）に示すように下（時計）方向へ回動するので、この作動部６ｃの先端が防塵シート５を介して可動接点４の中央部４ｂを押圧する。
これによって、反転ばねからなる可動接点４は下方へ反転してクリック感触が得られると共に、中央部４ｂが固定接点３と接触してスイッチがオンの状態となる。この時、操作部材６の背面側のばね受け部６ｇは、蓋体７の復帰ばね部７ｃには当接しておらず、操作部材６への復帰力は付与されない状態となっている。
【００３５】
この状態から、押圧部６ｄを更に押圧すると、図６に示すようにスイッチがオンの状態のまま、操作部材６が図示右方向へスライド移動して背面側のばね受け部６ｇが蓋体７の復帰ばね部７ｃと当接して復帰ばね部７ｃが撓むことにより復帰力が付与される状態となる。
この状態から、更に押圧部６ｄを押圧すると、図７に示すように復帰ばね部７ｃが更に撓んで、押圧部６ｄのストッパー部６ｆがハウジング１と蓋体７のストッパー面に当接して操作部材６のスライド移動が停止される。この時には、復帰ばね部７ｃのばね性により操作部材６は図示左方向へ復帰力が付与された状態となっている。
【００３６】
この状態から、押圧部６ｄの押圧状態を解除すると、操作部材６は復帰ばね部７ｃの復帰力により押し戻されて図示左方向へスライド移動されるものとなり、これに伴って、アーム部６ｅ自体の弾発力により作動部６ｃが図５（ｂ）の上（反時計）方向に回動しながら傾斜片７ｄの斜面上を摺動することにより、操作部材６が図５の左方向へスライド移動して図４に示す初期状態に復帰する。この時、作動部６ｃの回動に伴い、可動接点４の中央部４ｂも弾発力により上方へ反転復帰して固定接点３より離間し、スイッチがオフ状態となる。
【００３７】
尚、上記実施例では、前記復帰ばね部７ｃを、前記蓋体７に形成して、前記操作部材６が前記可動接点４をスイッチ切換え位置へ反転させてオンさせるまでスライド移動した際に、前記操作部材６の背面側のばね受け部６ｇと前記蓋体７とが前記復帰ばね部７ｃを介して当接可能なように配置する構成としたが、これに限らず、操作部材６の背面側に復帰ばね部を形成して、蓋体７の内面にばね受け部を形成するようにしても良い。
このように、復帰ばね部７ｃを操作部材６あるいは蓋体７のどちらか一方に設けようにようにすれば、構成が簡易となり、組立性が向上される。
【００３８】
また、前記操作部材６に、操作部材６がスライド方向へ移動する際に前記ハウジング１及び蓋体７のストッパー面に当接するストッパー部６ｆを設け、前記操作部材６と蓋体７とが、前記復帰ばね部７ｃを介して当接してからストッパー部６ｆがストッパー面に当接するまでの間、前記復帰ばね部７ｃにより前記操作部材６へ復帰力を付与するようにしたことから、操作部材６のストッパー部６ｆがストッパー面と当接する位置にスライド移動するまで、前記復帰ばね部７ｃが連続して復帰力を付与するので、操作部材６のスライド移動後の復帰を確実に行なうことができるものとなっている。
【００３９】
また、反転ばねの裏面に接点部を設けて前記可動接点４を形成し、前記ハウジング１の収納部１ａの内底面に前記固定接点２、３を設け、この固定接点２、３上に反転ばねからなる可動接点４を反復反転可能に配設し、前記操作部材６の押圧操作時に、作動部６ｃを介して可動接点４が反転して接点部が前記固定接点２、３と接触してスイッチ信号の切換えが行なわれると共に、それ以降、操作部材６がスライド移動した際に、前記復帰ばね部７ｃにより前記操作部材６へ復帰力を付与するようにしたことから、前記操作部材６がスイッチ信号の切換えが行なわれた後のスライド位置で、前記復帰ばね部７ｃが復帰力を付与するので、前記操作部材の復帰を確実に行なえ、所望のクリック感触を得ることができるものとなっている。
【００４０】
また、前記操作部材６に可撓性を有する作動部６ｃを形成し、前記蓋体７にはハウジング１の収納部１ａ内に切り起こされた傾斜片７ｄを形成して、前記操作部材６の押圧操作時には、押圧部６ｄの押圧に伴って、前記作動部６ｃが前記傾斜片７ｄ上を摺動して下方へ撓むことで、作動部６ｃが可動接点４を押圧するようにしたことから、前記操作部材６のスライド操作時に、前記可動接点４を下方へ押圧する作動部６ｃを操作部材６に一体的に形成できるので、押釦スイッチの薄型化が図れるものとなっている。
【００４１】
図８乃至図１３は本発明の押釦スイッチの他の実施例を示し、図８は押釦スイッチの他の実施例を示す平面図、図９は同じくハウジングと駆動変換部材とを示す平面図、図１０は押釦スイッチの他の実施例を示す要部断面図、図１１乃至図１３は同じく押圧時の動作説明図で、図１１は操作部材が反転ばねをスイッチ切換え位置へ反転させるまでスライド移動した状態を示す説明図、図１２は反転ばねが反転した後スライド移動した操作部材と復帰ばね部とが当接して復帰力が付与された状態を示す説明図、図１３はスライド移動した操作部材と筐体とがストッパー部で当接した状態を示す説明図である。
【００４２】
本実施例の構成と、上記した第一の実施例の構成とで異なる点は、操作部材の作動部の構成が一部相違する点と駆動変換部材を設けた点である。
尚、上記した第一の実施例と同一の構成部品については同一の符号を付してその詳細な説明は省略する。
【００４３】
図８乃至図１０に示す、押し釦スイッチは、収納部を有するハウジング１と、収納部の内底面に対向して設けられた固定接点２、３と、これら固定接点２、３上に配設された反転ばねからなる可動接点４と、この可動接点４上に設けられ、ポリイミド等からなる防塵シート５と、この防塵シート５を介して可動接点４を作動させる駆動変換部材８と、この駆動変換部材８を駆動する操作部材９と、前記ハウジング１の上面に取付けられ、前記収納部を覆う蓋体７とから構成されている。尚、ハウジング１と蓋体７とでスイッチの筐体を構成している。
【００４４】
操作部材９は、合成樹脂などの絶縁材からなり、この操作部材９には、略方形状で中央に開口部９ａを有する基台部９ｂと、この開口部９ａの一内面に設けられた傾斜面を有する作動部９ｃと、前記ハウジング１の切窓部１ｃより外方へ突出する押圧部９ｄとが形成されている。
【００４５】
また、操作部材９は、前記ハウジング１の上面に載置された防塵シート５の上面に載置され、ハウジング１の切窓部１ｃから突出した押圧部９ｄが押圧されることにより、ハウジング１の収納部１ａ内に横方向にスライド移動可能に配設されている。また、押圧部９ｄには、押圧された時にハウジング１及び後述する蓋体７のストッパー面と当接するストッパー部９ｅが形成されており、また、基台部９ｂ後方には、蓋体７に設けられた復帰ばね部７ｃと当接するばね受け部９ｆが設けられている。
【００４６】
尚、本実施例の蓋体７は、導電性の金属板を打ち抜き、折り曲げることにより形成され、平板状の上板部７ａを有し、Ｌ字状の係合片部７ｂと、一方に膨出する復帰ばね部７ｃが形成されている構成においては上記した第一実施例の構成と同一であるが、蓋体７の上板部７ａには、中央部よりハウジング１の収納部１ａ内側に切り起こされた傾斜片７ｄは設けられておらず。この点が一部相違している。その為、蓋体７の上面に開口が形成されないため、防塵性を増すことができ、基板への実装時に、マウンタでのエアー吸引を確実に行なえ、実装精度を高めることができる。
【００４７】
駆動変換部材８は、弾性を有する薄板金属板からなり、平板状の基板部８ａとこの基板部８ａの上面側に突出して形成された円環状の駆動部８ｂとを有している。この駆動変換部材８は、前記ハウジング１の上面に載置された防塵シート５の上面に載置され、ハウジング１と蓋体７との間に挟持されている。また、駆動変換部材８の上面側には、駆動部８ｂと傾斜面の作動部９ｃが当接された状態で、操作部材９がスライド移動可能に配置されている。
そして、操作部材９が押圧された際には、作動部９ｃの傾斜面と駆動部８ｂとが摺動することにより、駆動部８ｂが押し下げられて、可動接点４の中央部４ｂを下方へ押圧するようになっている。
【００４８】
上記構成の押釦スイッチを組み立てるには、まず、ハウジング１の収納部１ａ内に可動接点４を載置し、この可動接点４上を防塵シート５で覆い、この防塵シート５の周囲をハウジング１の上面に貼り付ける。次に、この防塵シート５上に駆動変換部材８と操作部材９を配置した後、蓋体７をハウジング１上に載置する。この時、それぞれの四隅に形成された、係合片部７ｂと突起１ｂとをそれぞれ嵌合させて蓋体７をハウジング１に係止させることにより組立が完了する。
【００４９】
次に、図１１乃至図１３を用いて上記構成の押釦スイッチの動作を説明する。尚、各図の（ａ）は操作部材９と復帰ばね部７ｃとの関係を示す要部平面説明図、各図の（ｂ）は全体の要部断面説明図である。
まず、操作部材９が非押圧時の初期の状態においては、図１０に示すように、駆動変換部材８の駆動部８ｂは操作部材９の作動部９ｃの傾斜面の上部近傍に位置しており、下方へは弾性変位されないで可動接点４と固定接点３とは離間した状態となっている。
【００５０】
この状態から、操作部材９の押圧部９ｄを図１１の右方向へ押圧すると、作動部９ｃの傾斜面上を、駆動変換部材８の駆動部８ｂが摺動することにより案内され、これに伴い、駆動部８ｂが弾性変位しながら図１１（ｂ）に示すように下方向へ回動するので、この駆動部８ｂの下端が防塵シート５を介して可動接点４の中央部４ｂを押圧する。
これによって、反転ばねからなる可動接点４は下方へ反転してクリック感触が得られると共に、中央部４ｂが固定接点３と接触してスイッチがオンの状態となる。この時、操作部材９の背面側のばね受け部９ｆは、蓋体７の復帰ばね部７ｃには当接しておらず、操作部材９への復帰力は付与されない状態となっている。
【００５１】
この状態から、押圧部９ｄを更に押圧すると、図１２に示すようにスイッチがオンの状態のまま、操作部材９が図示右方向へスライド移動して背面側のばね受け部９ｆが蓋体７の復帰ばね部７ｃと当接して復帰ばね部７ｃが撓むことにより復帰力が付与される状態となる。
この状態から、更に押圧部９ｄを押圧すると、図１３に示すように復帰ばね部７ｃが更に撓んで、押圧部９ｄのストッパー部９ｅがハウジング１と蓋体７のストッパー面に当接して操作部材９のスライド移動が停止される。この時には、復帰ばね部７ｃのばね性により操作部材９は図示左方向へ復帰力が付与された状態となっている。
【００５２】
この状態から、押圧部９ｄの押圧状態を解除すると、操作部材９は復帰ばね部７ｃの復帰力により押し戻されて図示左方向へスライド移動されるものとなり、これに伴って、駆動部８ｂ自体の弾発力により駆動部８ｂが図１１（ｂ）の上方向に回動しながら作動部９ｃの傾斜面上を摺動することにより、操作部材９が図１１の左方向へスライド移動して図１０に示す初期状態に復帰する。この時、駆動部８ｂの回動に伴い、可動接点４の中央部４ｂも弾発力により上方へ反転復帰して固定接点３より離間し、スイッチがオフ状態となる。
【００５３】
このように、本実施例においては、前記操作部材９の作動部９ｃに傾斜面を形成し、前記ハウジング１の収納部１ａには揺動可能な駆動変換部材８を設け、操作部材９の押圧操作時に、押圧部９ｄの押圧に伴って作動部９ｃの傾斜面が駆動変換部材８の駆動部８ｂと摺動し、この駆動部８ｂが下方へ撓むことで反転ばねからなる可動接点４を押圧するようにしたことから、前記操作部材９の作動部９ｃと当接して揺動可能な前記駆動変換部材８を設けることにより、前記操作部材９のスライド方向と交差する方向に前記駆動変換部材８を移動できるので、確実に可動接点４を下方へ押圧することができるものとなっている。
【００５４】
上記した本発明の実施例によれば、前記操作部材６、９を押圧操作する際には、前記操作部材６、９が反転ばねからなる可動接点４をスイッチ切換え位置へ反転させるまでスライド移動した後に当接すると共に、それ以降、スライド移動した操作部材６、９への復帰力を連続して付与する復帰ばね部７ｃを設けたことから、押釦スイッチの復帰操作を、反転した可動接点４の自らの反転復帰する蓄力による操作部材６、９への付勢力に加えて、前記復帰ばね部７ｃの復帰力とによって前記操作部材６、９の復帰を行なうようにしたので、操作部材６、９の復帰を確実に行うことができるものとなっている。
また、前記可動接点４のスイッチ切換え位置への反転動作途上においては、前記操作部材６、９に前記復帰ばね部７ｃの付勢力は作用しないため、所望のクリック感触を得ることができるものとなっている。
【図面の簡単な説明】
【００５５】
【図１】本発明の押釦スイッチを示す平面図である。
【図２】本発明の押釦スイッチを示す背面図である。
【図３】本発明のハウジングを示す平面図である。
【図４】本発明の押釦スイッチを示す要部断面図である。
【図５】本発明の操作部材が反転ばねをスイッチ切換え位置へ反転させるまでスライド移動した状態を示す動作説明図である。
【図６】本発明の反転ばねが反転した後スライド移動した操作部材と復帰ばね部とが当接して復帰力が付与された状態を示す動作説明図である。
【図７】本発明のスライド移動した操作部材と筐体とがストッパー部で当接した状態を示す動作説明図である。
【図８】本発明の押釦スイッチの他の実施例を示す平面図である。
【図９】本発明の押釦スイッチの他の実施例のハウジングと駆動変換部材とを示す平面図である。
【図１０】本発明の押釦スイッチの他の実施例を示す要部断面図である。
【図１１】本発明の押釦スイッチの他の実施例の操作部材が反転ばねをスイッチ切換え位置へ反転させるまでスライド移動した状態を示す動作説明図である。
【図１２】本発明の押釦スイッチの他の実施例の反転ばねが反転した後スライド移動した操作部材と復帰ばね部とが当接して復帰力が付与された状態を示す動作説明図である。
【図１３】本発明の押釦スイッチの他の実施例のスライド移動した操作部材と筐体とがストッパー部で当接した状態を示す動作説明図である。
【図１４】従来の押釦スイッチを示す分解斜視図である。
【図１５】従来の押釦スイッチを示す断面図である。
【符号の説明】
【００５６】
１：ハウジング
１ａ：収納部
１ｂ：突起
１ｃ：切窓部
２：固定接点
２ａ：外部接続端子
３：固定接点
３ａ：外部接続端子
４：可動接点（反転ばね）
４ａ：周辺部
４ｂ：中央部（接点部）
５：防塵シート
６：操作部材
６ａ：開口部
６ｂ：基台部
６ｃ：作動部
６ｄ：押圧部
６ｅ：アーム部
６ｆ：ストッパー部
６ｇ：ばね受け部
７：蓋体
７ａ：上板部
７ｂ：係合片部
７ｃ：復帰ばね部
７ｄ：傾斜片
８：駆動変換部材
８ａ：基板部
８ｂ：駆動部
９：操作部材
９ａ：開口部
９ｂ：基台部
９ｃ：作動部
９ｄ：押圧部
９ｅ：ストッパー部
９ｆ：ばね受け部
【図１】
2005209565.tif 000003
【図２】
2005209565.tif 000004
【図３】
2005209565.tif 000005
【図４】
2005209565.tif 000006
【図５】
2005209565.tif 000007
【図６】
2005209565.tif 000008
【図７】
2005209565.tif 000009
【図８】
2005209565.tif 000010
【図９】
2005209565.tif 000011
【図１０】
2005209565.tif 000012
【図１１】
2005209565.tif 000013
【図１２】
2005209565.tif 000014
【図１３】
2005209565.tif 000015
【図１４】
2005209565.tif 000016
【図１５】
2005209565.tif 000017